(57)【要約】【課題】電子機器の各機能ブロック毎にクロックを分配し、各機能ブロック毎に適切なクロック制御を行うことにより、不必要な電力消費を抑制すること。【解決手段】外部からアクセスされるレジスタ１３を有し所要の動作を実行する機能ブロック５と、機能ブロックにクロックを供給するクロック供給装置４と、を備える動作制御装置１において、クロック供給装置は、機能ブロックのレジスタへのアクセスが、所定の時間無かった場合に、機能ブロックへの供給クロックを自動的に停止し、機能ブロックへのレジスタアクセスがあると、機能ブロックへのクロック供給を自動的に再開するクロックオートストップ制御部１０を有する構成とする。機能ブロックが動作中であることを表すビジー信号オンがオフになってから所定時間が経過した場合に機能ブロックへの供給クロックを自動的に停止すること。【選択図】図１
2005267255.tif 000002
【特許請求の範囲】
【請求項１】
外部からアクセスされるレジスタを有し所要の動作を実行する機能ブロックと、前記機能ブロックにクロックを供給するクロック供給装置と、を備える動作制御装置において、
前記クロック供給装置は、前記機能ブロックのレジスタへのアクセスが、所定の時間無かった場合に、前記機能ブロックへの供給クロックを自動的に停止し、
前記機能ブロックへのレジスタアクセスがあると、前記機能ブロックへのクロック供給を自動的に再開するクロックオートストップ制御部を有する
ことを特徴とする動作制御装置。
【請求項２】
請求項１において、
前記クロックオートストップ制御部は、クロックをカウントするカウンタを有し、前記機能ブロックへのレジスタアクセスを検知すると、前記機能ブロックへのクロックを供給するとともに、前記カウンタがクロックをカウントし、
前記カウンタが所定のカウント数をカウントすると、前記機能ブロックへのクロック供給を停止する
ことを特徴とする動作制御装置。
【請求項３】
外部からアクセスされるレジスタを有し所要の動作を実行する機能ブロックと、前記機能ブロックにクロックを供給するクロック供給装置と、を備える動作制御装置において、
前記レジスタへのアクセスによって前記機能ブロックの内部で所定動作が起動される場合、前記機能ブロックは動作中であることを表すビジー信号オンを前記クロック供給装置内のクロックオートストップ制御部に供給し、
前記クロックオートストップ制御部は、前記ビジー信号がオンからオフになってから所定の時間が経過した場合に前記機能ブロックへの供給クロックを自動的に停止し、前記機能ブロックへのレジスタアクセスがあると、前記機能ブロックへのクロック供給を自動的に再開する
ことを特徴とする動作制御装置。
【請求項４】
請求項１、２または３において、
前記機能ブロックが誤動作をしたことを検知し、前記検知に基づいて前記誤動作した機能ブロックに対してリセットできる構成とし、
前記機能ブロックのレジスタアクセスによりクロック供給が再開された場合においても、前記誤動作による前記機能ブロックのリセットによって、クロック供給を停止する
ことを特徴とする動作制御装置。
【請求項５】
請求項３において、
前記機能ブロックが誤動作をしたことを検知し、前記検知に基づいて前記誤動作した機能ブロックに対してリセットできる構成とし、
前記機能ブロックのレジスタアクセスによりクロック供給が再開された場合においても、前記誤動作による前記機能ブロックのリセットによって前記機能ブロックが初期状態に戻り、前記ビジー信号がオフになることに伴ってクロック供給を停止する
ことを特徴とする動作制御装置。
【請求項６】
請求項１、２または３において、
前記クロックオートストップ制御部におけるクロックオートストップ機能を有効にするか無効にするかを決めるイネーブル信号入力部を設け、前記イネーブル信号のオンオフによって前記機能ブロックに対してクロックオートストップさせるか否かを選択する
ことを特徴とする動作制御装置。
【請求項７】
請求項１、２または３において、
前記機能ブロックのレジスタへのアクセスが所定の時間無かった場合における前記所定の時間、または、前記ビジー信号がオンからオフになってから所定の時間が経過した場合における前記所定の時間、を任意に設定可能とする
ことを特徴とする動作制御装置。
【請求項８】
請求項１ないし７のいずれか１つの請求項における動作制御装置を複数個備える電子機器。
【請求項９】
請求項８において、
各機能ブロックは、画像データの圧縮・伸長、画像の回転、画像データのエンジン又はＨＤＤへの出力、画像編集等のいずれかの処理を行う機能を有する電子機器としての画像処理装置。
【請求項１０】
請求項９に記載した画像処理装置の機能ブロックとクロック供給装置とからなる動作制御装置の複数個が単一のＡＳＩＣを構成することを特徴とする画像処理装置。
【発明の詳細な説明】
【技術分野】
【０００１】
本発明は、クロック（ＣＬＫ）により動作する電子機器に関し、特に、所望の条件でクロックを自動的に停止して低消費電力化を図るクロックオートストップ制御装置に関する。
【背景技術】
【０００２】
従来、クロックで動作する電子機器において、低消費電力の設計で、クロックを停めて消費電力を削減する方法がいくつか提案されている。例えば、特許文献１では、グラフィック制御回路における低消費電力化の方法で、ＶＲＡＭにアクセスする機能ブロックに対する低消費電力制御を行っている。また、特許文献２には、ＲＡＭのクロック制御に関する提案がなされている。さらに、特許文献３や特許文献４には、ともにマイクロコントローラにおけるクロック制御により低消費電力化を図っている。
【特許文献１】特開２００２−２２１９５８
【特許文献２】特開２００２−１９６９７８
【特許文献３】特開平５−３０３４４５号公報
【特許文献４】特開平８−１０６３３８号公報
【発明の開示】
【発明が解決しようとする課題】
【０００３】
しかしながら、上述した引用文献による従来技術は、ＲＡＭ廻りに関するクロック制御や、マイクロコントローラに対してのクロック制御であったり、その他の各機能ブロックへの供給クロック制御を行う部分においても、クロックをストップするか否かを判断する判断部の構成が複雑化しており、その判断部での消費電力も無視できないものとなっている。
【０００４】
クロック動作を行う電子機器において、独自のクロック系統をもつ複数の機能ブロックに対して、各機能ブロックに適したそれぞれのクロック制御を行うことが求められているが、その具体的なクロック制御の手法は提案されていない。
【０００５】
本発明の目的は、電子機器の各機能ブロック毎にクロックを分配し、各機能ブロック毎に適切なクロック制御を行うことにより、不必要な電力消費を抑制する電子機器を提供することにある。
【課題を解決するための手段】
【０００６】
前記課題を解決するために、本発明は主として次のような構成を採用する。  
外部からアクセスされるレジスタを有し所要の動作を実行する機能ブロックと、前記機能ブロックにクロックを供給するクロック供給装置と、を備える動作制御装置において、前記クロック供給装置は、前記機能ブロックのレジスタへのアクセスが、所定の時間無かった場合に、前記機能ブロックへの供給クロックを自動的に停止し、前記機能ブロックへのレジスタアクセスがあると、前記機能ブロックへのクロック供給を自動的に再開するクロックオートストップ制御部を有する構成とする。
【０００７】
また、外部からアクセスされるレジスタを有し所要の動作を実行する機能ブロックと、前記機能ブロックにクロックを供給するクロック供給装置と、を備える動作制御装置において、前記レジスタへのアクセスによって前記機能ブロックの内部で所定動作が起動される場合、前記機能ブロックは動作中であることを表すビジー信号オンを前記クロック供給装置内のクロックオートストップ制御部に供給し、前記クロックオートストップ制御部は、前記ビジー信号がオンからオフになってから所定の時間が経過した場合に前記機能ブロックへの供給クロックを自動的に停止し、前記機能ブロックへのレジスタアクセスがあると、前記機能ブロックへのクロック供給を自動的に再開する構成とする。
【発明の効果】
【０００８】
本発明によれば、各機能ブロックごとに簡単な構成のクロックオートストップ制御装置を備えたクロック供給装置を持つことにより、動作していない機能ブロックのクロックを停止させ、必要な部分のみクロックを供給することができるため、消費電力が最低限に押さえられるという効果がある。
【０００９】
また、レジスタアクセスだけでなく、長い動作が機能ブロック内部で起動された場合でも、その動作の終了を管理することにより、最低限のクロック供給のみとなるので、消費電力が最低限に押さえられるという効果がある。
【００１０】
また、クロックを停止することにより、誤動作が起こる可能性を想定し、誤動作が起こった場合にも、各機能ブロックごとにリセットすることにより、正常動作に戻し、かつ、消費電力が最低限に押さえられるという効果がある。
【００１１】
また、クロックオートストップ制御装置に印加されるイネーブル信号によりクロックオートストップ制御をするかしないかを選択できることにより、ほとんど常に動いているようなブロックはクロックを停めないようにすることにより、誤動作の起こる可能性をなくすなどの効果がある。
【００１２】
また、それぞれのブロックごとにクロックストップさせるまでのクロック数を個別に設定できることにより、さらに消費電力が最低限に押さえられるという効果がある。
【発明を実施するための最良の形態】
【００１３】
本発明の動作制御装置に係る実施の形態について、実施例１〜５を挙げて図面を参照しながら以下詳細に説明する。
【実施例１】
【００１４】
図１は本発明の動作制御装置に関する実施例１の構成を示す図である。図１において、１は動作制御装置Ａ、２は動作制御装置Ｂ、３は動作制御装置Ｃ、４はクロック供給装置ａ、５は機能ブロックＡ、６はクロック供給装置ｂ、７は機能ブロックＢ、８はクロック供給装置ｃ、９は機能ブロックＣ、１０はクロックオートストップ制御装置ａ、１１，１５，１９はカウンタ、１２，１６，２０はＡＮＤ回路、１３，１７，２１はレジスタ、１４はクロックオートストップ制御装置ｂ、１８はクロックオートストップ制御装置ｃ、をそれぞれ表す。
【００１５】
図１に示す全体のブロックは、クロック動作を行う電子機器の一例を示しており、この電子機器は少なくとも動作制御装置Ａ，Ｂ、Ｃから構成されている。動作制御装置Ａ（１）は、クロック供給装置ａ（４）と機能ブロックＡ（５）とを有している。機能ブロックＡ（５）にはレジスタ１３が設けられて、このレジスタ１３に外部からレジスタアクセス（レジスタへの書き込み又は読み出しの信号が印加）が実行される。クロック供給装置ａ（４）には、クロックオートストップ制御装置ａ（１０）が設けられ、クロックオートストップ制御装置ａの内部にクロックのカウンタ１１が設けられている。外部からクロック供給装置ａ（４）にチップセレクト信号ＣＳａが入力されるとともに、クロック（ＣＬＫ）が入力される。
【００１６】
ここで、図１に示す機能ブロックＡ，Ｂ，Ｃは、電子機器の有している機能ブロックを示すものであるが、電子機器の一例として画像処理装置を取り上げると、機能ブロックＡは画像データの圧縮又は伸長の機能をもつ回路ブロック、機能ブロックＢは画像回転の機能をもつ回路ブロック、機能ブロックＣはエンジンへの画像データ出力部の機能をもつ回路ブロック、であっても良い。画像処理装置としての機能ブロックには、上述の機能の他に、ＨＤＤ等への画像データの出力部の機能や画像の拡大・縮小等の画像編集の機能を果たす回路ブロックでも良い。また、画像処理装置としての上述したような動作制御装置（機能ブロック・クロック供給装置）群は、ＡＳＩＣ（Ａｐｐｌｉｃａｔｏｉｎ  Ｓｐｅｃｉｆｉｅｄ  ＩＣ）として構成されてもよく、この場合には、機能ブロック毎にクロック供給制御をすることで、同一基板上での集中発熱を回避することができるという顕著な効果が期待できる。なお、後述する実施例においても、動作制御装置１，２及び３の適用例として、画像処理装置が挙げられる。
【００１７】
本実施例１の構成と動作を説明すると、動作制御装置１，２，３はそれぞれの機能ブロック５，７，９毎に、クロック供給装置４，６，８を備えており、クロック供給装置４，６，８はそれぞれクロックオートストップ制御装置１０，１４，１８を有する。
【００１８】
本実施例１の構成によると、例えば、機能ブロックＡ（５）のレジスタ１３にアクセス（レジスタへのＲ／Ｗ）があるとアクセスを検知して、クロックオートストップ制御装置１０はその出力線のＳＴＯＰ信号をＨｉｇｈにしてＡＮＤ回路１２の一方の入力となる。一方、動作制御装置１，２，３の外部から不図示のクロック発生装置によってクロックＣＬＫがＡＮＤ回路１２の他方の入力となる。これによって、ＡＮＤ回路１２を通して機能ブロック５へのクロックが供給される。
【００１９】
それと同時に、カウンタ１１が入力されるクロックＣＬＫをカウントし始める。カウンタ１１によるカウントの態様は、カウント中に次のレジスタアクセスがあると、カウンタの値はクリアされ、また、初めからカウントが始まるようになっている。
【００２０】
そこで、レジスタアクセスがあって、カウンタ１１がカウントをし始めて、或る所定のカウント数になると（その間にレジスタへのアクセスが無かったときに）、クロックオートストップ制御装置１０の出力線のＳＴＯＰ信号をＬｏｗにする。そうすると、ＡＮＤ回路１２から機能ブロック５へのクロック供給を停止される。上記の所定のカウント数は、機能ブロックにおいてレジスタアクセス後にクロックを停めてよい部分と停めてはいけない部分とがあるため、停めてはいけない部分へのデータ受け渡しなどに影響がないように、所定のカウント後にクロックを停めるようになっている。したがって、クロックオートストップ制御装置１０における所定のカウント数は機能ブロックによって個別に設定可能なものである。なお、レジスタのＲ／Ｗを検知したときには、直ちにクロック供給を開始するようになっている。
【００２１】
以上の動作を機能ブロックＢ（２）、機能ブロックＣ（３）、……と、全ての機能ブロックで個別に制御することができる。なお、図１では、機能ブロックＡと機能ブロックＢは同一のクロック２で動作し、機能ブロックＣは他のクロック１で動作させても良く、各機能ブロックは、設定された所定のカウントで個別に停止できる。
【００２２】
これによって、クロック供給装置は、各機能ブロックのレジスタへのアクセスが、ある所定の時間無かった場合に（上記の所定のカウント数は所定の時間に換算可能である）、自動的にその機能ブロックへの供給クロックを停止し、次にその機能ブロックへのレジスタアクセスがあると、その機能ブロックへのクロック供給を自動的に再開するようなクロックオートストップ装置を持つことにより、動作していない機能ブロックのクロックを停止させ、必要な部分のみクロックを供給することができるため、消費電力を最低限に抑制することができる。
【実施例２】
【００２３】
図２は本発明の動作制御装置に関する実施例２の構成を示す図である。図２に示す本発明に係る実施例２において、各動作制御装置が、機能ブロックとクロック供給装置とから構成されていて、機能ブロックにはレジスタがあり、クロック供給装置には、カウンタを有するクロックオートストップ制御装置とＡＮＤ回路がある。図２に示すこれらの構成要素は図１に示す実施例１と同一であって、その機能も同一である。したがって、実施例２における上述の構成要素については、実施例１の記載内容を援用する。
【００２４】
本発明の実施例２が実施例１と構成上で異なる点は、機能ブロックとクロックオートストップ制御装置とを結ぶビジー（ＢＵＳＹ）信号線２０を設けて、機能ブロックの動作状態をクロックオートストップ制御装置に伝えることである。
【００２５】
本実施例２の構成によると、例えば、レジスタに或る値をライトすると、或る動作が起動されるような場合に（例として、レジスタへのアクセスで画像データの圧縮又は伸長動作を実行する場合に）、動作中ならばＢＵＳＹ信号線２０のＢＵＳＹ信号をＨｉｇｈにする。クロックオートストップ制御装置内のカウンタはＢＵＳＹ信号を検知していて、ＢＵＳＹ信号がＨｉｇｈの間は（例として、圧縮動作が実行中の間は）カウントせず、ＢＵＳＹがＬｏｗになってから（例として、圧縮動作が終了）、カウンタのカウントを始めて、或る所定のカウント数になるとＳＴＯＰ信号をＬｏｗにして、機能ブロックへのクロック供給を停止する。
【００２６】
ここで、ＢＵＳＹ信号がＬｏｗになってから所定のカウント数のカウント後にクロック供給停止をするのは、機能ブロックにおける動作終了のＬｏｗ信号への転換時点から、機能ブロックには動作終了に伴う所要の動作を実行することが求められるのであり、ＢＵＳＹ信号のＬｏｗ時点で直ちにクロック停止とすることはできないのである。
【００２７】
ＢＵＳＹ信号がＬｏｗになってからも、或る所定のカウント数になる前にレジスタアクセスがあるとカウント値はクリアされ、再度カウントし始める。以上の動作を機能ブロックＢ、機能ブロックＣ、……と、全ての機能ブロックで個別に制御することができる。
【００２８】
以上説明したように、本実施例２においては、各機能ブロックへのレジスタアクセスの場合（本実施例１の場合）だけでなく、機能ブロック内部で長い時間の動作が起動されるような場合でも、その動作の終了を管理することにより、最低限のクロック供給のみとなるので、消費電力最低限に抑制することができる。
【実施例３】
【００２９】
図３は本発明の動作制御装置に関する実施例３の構成を示す図である。図３に示す本発明に係る実施例３において、各動作制御装置が、機能ブロックとクロック供給装置とから構成されていて、機能ブロックにはレジスタがあり、クロック供給装置には、カウンタを有するクロックオートストップ制御装置とＡＮＤ回路がある。図３に示すこれらの構成要素は図１に示す実施例１，２と同一であって、その機能も同一である。したがって、実施例３における上述の構成要素については、実施例１，２の記載内容を援用する。
【００３０】
本発明の実施例３が実施例１，２と構成上で異なる点は、機能ブロックからのエラー信号の検出と、この検出等に基づいて外部制御装置から機能ブロックを初期状態に戻すリセット信号を機能ブロックに入力する構成である。
【００３１】
本実施例３の構成によると、例えば、或る機能ブロックで、クロック供給が再開されて動作が起動されたにも拘わらず、機能ブロックで誤動作を起こした場合に（クロックの供給停止で機能ブロックの誤動作発生も有り得る）、機能ブロックからのエラー信号などにより誤動作が起こったことを検知すると、その機能ブロックのみ外部制御装置からリセットすることができる。そして、本実施例３では、機能ブロックへのリセットを掛けて機能ブロックを初期状態に戻すことによって、ＢＵＳＹ信号もＬｏｗになり、これによって実施例２と同様にしてクロックを停止する。
【００３２】
以上説明したように、本実施例３においては、機能ブロックに誤動作が起こった場合にも、各機能ブロックごとにリセットすることにより正常動作に戻して誤動作を最小限に食い止めてクロックを停止し、他の機能ブロックに影響がでないようにすることができる。
【実施例４】
【００３３】
図４は本発明の動作制御装置に関する実施例４の構成を示す図である。図４に示す本発明に係る実施例４において、各動作制御装置が、機能ブロックとクロック供給装置とから構成されていて、機能ブロックにはレジスタがあり、クロック供給装置には、カウンタを有するクロックオートストップ制御装置とＡＮＤ回路がある。図４に示すこれらの構成要素は図３に示す実施例３と同一であって、その機能も同一である。したがって、実施例４における上述の構成要素については、実施例３の記載内容を援用する。
【００３４】
本発明の実施例４が実施例３と構成上で異なる点は、クロックオートストップ制御装置を有効にするか無効にするかを管理する管理装置を外部に設けて、この管理装置からのイネーブル信号（ＥＮ信号）をクロックオートストップ制御装置に入力する構成である。
【００３５】
本実施例４の構成によると、例えば、外部管理装置で各機能ブロックごとにクロックオートストップ機能を有効にするか無効にするかを管理し、このレジスタで有効と設定された機能ブロックのＥＮ信号をＨｉｇｈにすることにより、当該オートストップ制御装置が有効になる。この外部管理装置で無効と設定された機能ブロックのＥＮ信号はＬｏｗとなり、ＳＴＯＰ信号が常にＨｉｇｈとなり、クロックは常に対象ブロックに供給される。
【００３６】
以上説明したように、本実施例３においては、各機能ブロックのクロックオートストップ制御装置に対して、クロックオートストップ制御を有効にするか無効にするかのイネーブル信号を入力することにより、それぞれのモジュールでクロックオートストップさせるかどうかを選択することが可能となることにより、クロックを停止したくない機能ブロックが存在したきたときにも対応できる。また、イネーブル信号によりクロックオートストップ制御をするかしないかを選択できることにより、ほとんど常に動作しているような機能ブロックに対しては、クロックを停めないようにすることにより、クロックオートストップ制御装置に因る誤動作の起こる可能性を無くすることができる。
【実施例５】
【００３７】
図５は本発明の動作制御装置に関する実施例５の構成を示す図である。図５に示す本発明に係る実施例５において、各動作制御装置が、機能ブロックとクロック供給装置とから構成されていて、機能ブロックにはレジスタがあり、クロック供給装置には、カウンタを有するクロックオートストップ制御装置とＡＮＤ回路がある。図５に示すこれらの構成要素は図１に示す実施例４と同一であって、その機能も同一である。したがって、実施例４における上述の構成要素については、実施例４の記載内容を援用する。
【００３８】
本発明の実施例５は、その構成上で実施例４を前提として構成となっているが、基本的には、実施例１と実施例２とを組み合わせたものでる。すなわち、機能ブロックへの単なるレジスタアクセスがあった場合（例として、機能ブロックの状態確認など）と、レジスタへのアクセスで所要の動作が実行された場合のＢＵＳＹ信号のＬｏｗ状態の場合、におけるカウンタへのカウント数の設定を行うカウンタへの構成である。
【００３９】
具体的には、例えば、機能ブロックＡでレジスタアクセスを開始してからＡ１のクロックカウントした場合に（本実施例１の場合）、又は、レジスタアクセスにより機能ブロック内動作が起動された後に、ＢＵＳＹ信号がＬｏｗになってからＡ２のクロックカウントした場合に（本実施例２の場合）、機能ブロックへのクロック供給を停止するのであるが、Ａ１，Ａ２の値を個別に設定できるような外部の設定装置を各機能ブロックごとに備えている。機能ブロックＢであればＢＩ，Ｂ２を、機能ブロックＣであればＣ１，Ｃ２を個別に設定することができる構成である。
【００４０】
ここで、レジスタアクセス後からクロックストップするまでＡ１カウントを待っている意味は、機能ブロックにおいてレジスタアクセス後にクロックを停めてよい部分と停めてはいけない部分とがあるため、停めてはいけない部分へのデータ受け渡しなどに影響がないように、Ａ１カウント後にクロックを停めるようになっている。
【００４１】
本実施例５における外部設定装置からのカウント値Ａ１とＡ２によるカウントの動作態様を図６に示す。図６に記述した通りに本実施例５は動作するものである。
【００４２】
以上、本発明の実施例についてその構成と動作を説明したが、再度、本実施例の特徴を述べると次のようになる。本発明の電子機器装置は、複数の機能ブロックと、それぞれの機能ブロックにクロックを分配するクロック供給装置とを備え、クロック供給装置は、各機能ブロックのレジスタへのアクセスが、ある所定の時間無かった場合に、自動的にその機能ブロックへの供給クロックを停止し、次にその機能ブロックへのレジスタアクセスがあると、その機能ブロックへのクロック供給を自動的に再開するようなクロックオートストップ制御部を有することで、必要の無い電力消費を押さえるものである。
【００４３】
また、前記電子機器装置において、各機能ブロックのレジスタアクセスをすることにより、当該機能ブロックの内部で長い時間の動作が起動されるような場合、クロックオートストップ制御部に対して、その機能ブロック内が動作中であるということをあらわすビジー信号を入力することにより、その機能ブロックへのレジスタアクセスがある所定の時間なかった場合、あるいは、その機能ブロックが動作中であるということをあらわす信号がある所定の時間無効である場合に、自動的にその機能ブロックへの供給クロックを停止し、次にその機能ブロックへのレジスタアクセスがあると、その機能ブロックへのクロック供給を自動的に再開するようなクロックオートストップ制御部を有することで、必要の無い電力消費を押さえるものでるある。
【００４４】
また、前記電子機器装置は、各機能ブロックのレジスタアクセスによりクロック供給が再開された場合に、その機能ブロックが誤動作をした場合などに備えて、各機能ブロックごとにリセットできる構成とすることにより、誤動作を最小限に食い止め、他の機能ブロックに影響がでないようにするものである。また、前記電子機器装置は、各機能ブロックのクロックオートストップ制御部に対して、クロックオートストップ制御を有効にするか無効にするかのイネーブル信号を入力する構成とすることにより、それぞれの機能モジュールでクロックオートストップさせるかどうかを選択することが可能となることにより、クロックを停めたくない機能ブロックが出てきたときにも対応できるものである。
【００４５】
ことを目的とする。
【００４６】
また、前記電子機器装置は、各機能ブロックのクロックオートストップ制御部内でレジスタアクセスが無い、あるいは内部が動作中であるという信号が無効になってから、どのくらいの時間たったらクロック供給を停止するかを、外部設定できる構成とすることにより、必要なければ、なるべく少ないクロック数で停止することにより、更なる低消費電力化に対応できるものである。
【図面の簡単な説明】
【００４７】
【図１】本発明の動作制御装置に関する実施例１の構成を示す図である。
【図２】本発明の動作制御装置に関する実施例２の構成を示す図である。
【図３】本発明の動作制御装置に関する実施例３の構成を示す図である。
【図４】本発明の動作制御装置に関する実施例４の構成を示す図である。
【図５】本発明の動作制御装置に関する実施例５の構成を示す図である。
【図６】本実施例５における動作フローを示す図である。
【符号の説明】
【００４８】
１  動作制御装置Ａ
２  動作制御装置Ｂ
３  動作制御装置Ｃ
４  クロック供給装置ａ
５  機能ブロックＡ
６  クロック供給装置ｂ
７  機能ブロックＢ
８  クロック供給装置ｃ
９  機能ブロックＣ
１０  クロックオートストップ制御装置ａ
１１，１５，１９  カウンタ
１２，１６，２０  ＡＮＤ回路
１３，１７，２１  レジスタ
１４  クロックオートストップ制御装置ｂ
１８  クロックオートストップ制御装置ｃ
２０  ビジー（ＢＵＳＹ）信号線
【図１】
2005267255.tif 000003
【図２】
2005267255.tif 000004
【図３】
2005267255.tif 000005
【図４】
2005267255.tif 000006
【図５】
2005267255.tif 000007
【図６】
2005267255.tif 000008